(57)【要約】【課題】記録媒体に形成されるオブジェクトの形状や配置に依存せずに、ミシン目に沿ってオブジェクトを手作業で記録媒体から容易に切り離すことができるようにする。【解決手段】記録媒体にオブジェクトを記録し、オブジェクトの外周に沿ってミシン目を形成する記録装置は、記録媒体に記録を行なう記録ヘッドと、記録媒体にミシン目を形成するカッター及びカッター駆動部と、オブジェクトの配置を示す配置データを格納するＲＡＭと、配置データに基づいて、オブジェクトについて、記録媒体の端部または他のオブジェクトの外周のミシン目からそのオブジェクトの外周のミシン目につながる接続ミシン目の配置を決定する制御部と、を備える。制御部は、記録ヘッドに記録を行なわせるとともに、カッター駆動部を介してカッターを制御してオブジェクトの外周のミシン目及び接続ミシン目を形成する。【選択図】図１
2019202437.tif 000002
【特許請求の範囲】
【請求項１】
記録媒体にオブジェクトを記録し、前記オブジェクトの外周に沿って前記記録媒体にミシン目を形成する記録装置であって、
前記記録媒体に記録を行なう記録手段と、
前記記録媒体にミシン目を形成するミシン目形成手段と、
前記オブジェクトについての記録データと前記オブジェクトの配置を示す配置データとを格納する記憶手段と、
前記配置データに基づいて、前記オブジェクトについて、前記記録媒体の端部または他のオブジェクトの外周のミシン目から当該オブジェクトの外周のミシン目につながる接続ミシン目の配置を決定する制御手段と、
を有し、
前記制御手段は、前記記録データに基づいて前記記録手段に前記オブジェクトの記録を行わせるともに、前記オブジェクトの外周のミシン目及び前記接続ミシン目の形成を前記ミシン目形成手段に行なわせる、記録装置。
【請求項２】
前記制御手段は、前記記録媒体の端部に対して最短距離のオブジェクトを選択して前記選択されたオブジェクトにつながる前記接続ミシン目の配置を決定し、その後、前記接続ミシン目が定まっていないオブジェクトの中から前記記録媒体の端部及び前記接続ミシン目の配置が決定したオブジェクトに対して最短距離のオブジェクトを選択して当該選択されたオブジェクトにつながる前記接続ミシン目の配置を決定することを繰り返す、請求項１に記載の記録装置。
【請求項３】
前記制御手段は、前記選択されたオブジェクトにつながる接続ミシン目と前記選択されたオブジェクトの外周のミシン目またはその接線とがなす角が９０°を超えかつ前記角が最大となる前記オブジェクトの外周のミシン目の上の位置である最大鈍角位置を求め、前記最大鈍角位置に対して前記最大である角によりつながる接続ミシン目を前記選択されたオブジェクトにつながる前記接続ミシン目とする、請求項２に記載の記録装置。
【請求項４】
前記制御手段は、前記外周のミシン目の形状が所定の条件を満たすオブジェクトに対してのみ当該オブジェクトの外周のミシン目につながる前記接続ミシン目の配置を決定する、請求項１乃至３のいずれか１項に記載の記録装置。
【請求項５】
ユーザーからの入力を受け付ける入力手段をさらに備え、
前記制御手段は、前記入力手段を介して許可された場合に、前記接続ミシン目を決定する、請求項１乃至４のいずれか１項に記載の記録装置。
【請求項６】
オブジェクトが記録される記録媒体にミシン目を形成するミシン目の形成方法であって、
前記オブジェクトの配置を示す配置データに基づいて、前記オブジェクトについて、前記記録媒体の端部または他のオブジェクトの外周のミシン目から当該オブジェクトの外周のミシン目につながる接続ミシン目の配置を決定し、
前記オブジェクトの外周のミシン目と前記決定された接続ミシン目とを前記記録媒体に形成する、ミシン目の形成方法。
【請求項７】
前記記録媒体の端部に対して最短距離のオブジェクトを選択して前記選択されたオブジェクトにつながる前記接続ミシン目の配置を決定し、その後、前記接続ミシン目が定まっていないオブジェクトの中から前記記録媒体の端部及び前記接続ミシン目の配置が決定したオブジェクトに対して最短距離のオブジェクトを選択して当該選択されたオブジェクトにつながる前記接続ミシン目の配置を決定することを繰り返す、請求項６に記載のミシン目の形成方法。
【請求項８】
前記選択されたオブジェクトにつながる接続ミシン目と前記選択されたオブジェクトの外周のミシン目または接線とがなす角が９０°を超えかつ前記角が最大となる前記オブジェクトの外周のミシン目の上の位置である最大鈍角位置を求め、前記最大鈍角位置に対して前記最大である角によりつながる接続ミシン目を前記選択されたオブジェクトにつながる前記接続ミシン目とする、請求項７に記載のミシン目の形成方法。
【請求項９】
前記外周のミシン目の形状が所定の条件を満たすか否かを判定し、
前記所定の条件を満たすオブジェクトに対してのみ当該オブジェクトの外周のミシン目につながる前記接続ミシン目の配置を決定する、請求項６乃至８のいずれか１項に記載のミシン目の形成方法。
【発明の詳細な説明】
【技術分野】
【０００１】
本発明は、紙や樹脂フィルムなどの記録媒体に対して印字や印刷などの記録を行なうとともにその記録媒体にミシン目を形成する機能を有する記録装置と、記録媒体におけるミシン目の形成方法とに関する。
【背景技術】
【０００２】
販売促進などに用いられるクーポン券やサービス券は、記録媒体である用紙に対して一括して印刷を行い、その後、個々の券片に切り離すことによって使用される。そのため、予めミシン目が形成されている用紙に対して印刷を行なうことができる記録装置や、用紙に対してミシン目を形成する機能を有する記録装置が知られている。以下において、クーポン券やサービス券の個々の券片など、ミシン目によって記録媒体の残余の部分から切り離される部分をオブジェクトと呼ぶ。オブジェクトには一般に、何らかの印字や印刷がなされている。オブジェクトは、クーポン券やサービス券に限定されるものではなく、例えば、展開された状態でのペーパークラフトや紙模型なども含まれる。
【０００３】
用紙に形成されたミシン目に沿って個々のオブジェクトを手作業で切り離すことを容易とするために、種々の提案がなされている。特許文献１は、ミシン目が予め形成された用紙に対して印刷を行なう記録装置であって、印刷後の用紙に対し、ミシン目ごとにミシン目の近傍の用紙端からそのミシン目に到達する切り込みを形成することを開示している。
【先行技術文献】
【特許文献】
【０００４】
【特許文献１】特開２０１２−７１４８８号公報
【発明の概要】
【発明が解決しようとする課題】
【０００５】
特許文献１に開示された記録装置では、ミシン目に沿って手作業でオブジェクトを切り離すことを容易にするために、印刷後にカッターなどによって切り込みが形成される。しかしながらこの装置は、ミシン目に沿って切り離されるべきオブジェクトの形状が例えば長方形などの定型的形状であり、かつ、用紙端の近傍にまで延びるミシン目が予め形成されている用紙に対して印刷を行なうことを前提としている。この記録装置では、例えばペーパークラフトであるなどオブジェクトの形状が定型的形状でない場合や、オブジェクトのミシン目が用紙端から離れている場合、オブジェクトが複雑に配置されている場合には、ミシン目に達する切り込みを形成することが難しい。オブジェクトの形状が非定型であったり、オブジェクトの位置が用紙端から離れていたり、オブジェクトの配置が複雑である場合には、用紙などの記録媒体からミシン目に沿って手作業でオブジェクトを切り離すことには依然として熟練を要する。
【０００６】
本発明の目的は、オブジェクトの形状や配置に依存せずに、ミシン目に沿ってオブジェクトを手作業で記録媒体から容易に切り離すことができる記録装置と、ミシン目の形成方法とを提供することにある。
【課題を解決するための手段】
【０００７】
本発明の記録装置は、記録媒体にオブジェクトを記録し、オブジェクトの外周に沿って記録媒体にミシン目を形成する記録装置であって、記録媒体に記録を行なう記録手段と、記録媒体にミシン目を形成するミシン目形成手段と、オブジェクトについての記録データとオブジェクトの配置を示す配置データとを格納する記憶手段と、配置データに基づいて、オブジェクトについて、記録媒体の端部または他のオブジェクトの外周のミシン目からそのオブジェクトの外周のミシン目につながる接続ミシン目の配置を決定する制御手段と、を有し、制御手段は、記録データに基づいて記録手段にオブジェクトの記録を行わせるともに、オブジェクトの外周のミシン目及び接続ミシン目の形成をミシン目形成手段に行なわせる。
【０００８】
本発明のミシン目の形成方法は、オブジェクトが記録される記録媒体にミシン目を形成するミシン目の形成方法であって、オブジェクトの配置を示す配置データに基づいて、オブジェクトについて、記録媒体の端部または他のオブジェクトの外周のミシン目からそのオブジェクトの外周のミシン目につながる接続ミシン目の配置を決定し、オブジェクトの外周のミシン目と決定された接続ミシン目とを記録媒体に形成する。
【発明の効果】
【０００９】
本発明によれば、オブジェクトの外周のミシン目につながる接続ミシン目を形成することにより、オブジェクトの形状や配置に依存せずに、接続ミシン目を手がかりとしてオブジェクトを手作業で記録媒体から容易に切り離すことができるようになる。
【図面の簡単な説明】
【００１０】
【図１】本発明の実施の一形態の記録装置を説明する図である。
【図２】接続ミシン目の配置の決定の処理を説明するフローチャートである。
【図３】接続ミシン目の配置の決定前におけるミシン目の配置を示す図である。
【図４】接続ミシン目の配置を決定した状態でのミシン目の配置を示す図である。
【図５】別の実施形態での配置の決定の処理を説明するフローチャートである。
【図６】接続ミシン目が設定された状態でのミシン目の配置を示す図である。
【発明を実施するための形態】
【００１１】
次に本発明の実施の形態について、図面を参照して説明する。図１は、本発明の実施の一形態の記録装置を示しており、（ａ）は記録装置の構成を示す概略断面図、（ｂ）は記録装置に設けられる制御部の構成を示すブロック図である。図１に示す記録装置１００は、記録媒体である用紙に対して印刷を行なうとともに、印刷が行われた用紙に対してその任意位置にミシン目を形成する機能を有するものである。もちろん本発明において記録媒体は用紙に限られるものではなく、記録媒体に対する記録も印刷に限られるものではない。この記録装置１００は、用紙からオブジェクトを手作業で切り離すときの作業性を向上させるために、オブジェクト自体のミシン目すなわちオブジェクトの外周のミシン目のほかに、切り離しを容易にするための接続ミシン目も形成する機能も有する。接続ミシン目とは、オブジェクトの外周のミシン目から用紙端すなわち記録媒体の端部に延びるように、また、複数のオブジェクトがあるときはそれらのオブジェクトの外周のミシン目の間を接続するように形成されるミシン目のことである。接続ミシン目の配置は事前には与えられないから、記録装置１００は、オブジェクトの配置データなどに基づいて、接続ミシン目の配置を決定し、決定した配置に基づいて接続ミシン目を形成する。以下、記録装置１００について詳しく説明する。
【００１２】
記録装置１００は、記録手段であって印刷を行なう記録ヘッド１０３と、ミシン目の形成に使用されるカッター１０５と、制御手段であって記録装置１００の全体を制御する制御部１０７とを備えている。記録装置１００において、用紙は給紙カセット１０１に収納され、搬送ローラ１０２によって図示矢印方向に搬送され、記録ヘッド１０３に対向する位置を経てカッター１０５に対向する位置にまで移動する。記録ヘッド１０３は、例えば、インクなどの記録液を吐出して用紙上に画像などを記録するインクジェット記録方式のものであり、キャリッジ（不図示）などに搭載されることにより、図示奥行方向すなわち用紙の搬送方向に垂直な方向に移動可能である。本実施形態で用いられる、インクを吐出するとともに図示奥行方向に移動可能な記録ヘッド１０３は、インクジェット記録装置において既に一般的に用いられているものである。用紙の搬送経路を挟んで記録ヘッド１０３に対向するように、プラテンローラ１０４が設けられている。プラテンローラ１０４は、記録ヘッド１０３に対向する位置にまで到達した用紙をさらに図示矢印方向に搬送する。
【００１３】
カッター１０５は、カッター駆動部１０６によって、図示奥行方向と図示上下方向に移動可能である。カッター１０５及びカッター駆動部１０６によって、ミシン目形成手段が構成されている。カッター１０５が下降状態であるときは、カッター１０５の図示奥行方向への移動と用紙の搬送とにより、カッター１０５は用紙を切断する。カッター１０５が上昇状態であるときは、カッター１０５は用紙と接触せず、用紙は切断されない。カッター１０５の奥行方向への移動と用紙の搬送とにカッター１０５の繰り返しの昇降を組み合わせることによって、用紙に対して所望の形状でミシン目を形成することができる。カッター１０５及びカッター駆動部１０６の具体的な構成としては、カッティングプロッターにおいて一般的に使用されているものを用いることができる。
【００１４】
制御部１０７は、バス１２０に対し、ＣＰＵ１１０、ＲＯＭ１１１、ＲＡＭ１１２、ＬＡＮインターフェース１１３、駆動部１１４、入力・表示部１１５及び記録部１１６が相互に接続した構成となっている。ＣＰＵ（中央処理装置）１１０は、各種のプログラムにしたがって記録装置１００を制御するものであり、特に、用紙への印刷とミシン目形成のための諸制御を実行する。ＲＯＭ（読み出し専用メモリ）１１１は、記録装置１００のための各種の制御プログラムが格納する。記憶手段であるＲＡＭ（ランダムアクセスメモリ）１１２は、ＲＯＭ１１１から読み出された制御プログラムを蓄積するとともに、ＣＰＵ１１０による処理のための作業領域となり、記録装置１００の各種の設定情報も蓄積する。特にＲＡＭ１１２には、用紙においてオブジェクトの領域に印刷されるべき画像（あるいは文字）のデータすなわち記録データと、ミシン目の形成のために使用されるオブジェクトの位置及び形状を示す座標データすなわち配置データとが蓄積される。ＬＡＮ（ローカルエリアネットワーク）インターフェース１１３は、ホストコンピューターなどとこの記録装置１００とがネットワーク通信を行なうために設けられており、ネットワークとのインタフェースとして機能する。駆動部１１４は、記録装置１００内の各種の機構、例えば、搬送用のモータ（不図示）などを駆動する駆動回路から構成されている。入力・表示部１１５は、入力手段に対応するものであって、例えばタッチパネルなどから構成され、記録装置１００に対するユーザーからのコマンド入力などを受け付けるとともに、記録装置１００の各種状態をユーザーに通知する。記録部１１６は、用紙に対する印刷とミシン目の作成のために記録ヘッド１０３及びカッター駆動部１０６とのインターフェースとして機能するものである。
【００１５】
次に、記録装置１００による用紙への印刷とミシン目の形成について説明する。記録装置１００は、搬送ローラ１０２及びプラテンローラ１０４によって用紙を図示矢印方向に搬送しつつ印刷とミシン目の形成を行なう。そのため、印刷とミシン目の形成とを独立して行なうことはできず、これらは並行的に行われることになる。また本実施形態ではオブジェクト自体のミシン目のほかに接続ミシン目も形成するが、接続ミシン目の配置は事前には与えられない。そこで、接続ミシン目の配置の決定の処理を含む、印刷とミシン目の形成とを実行する前の事前処理が重要となる。
【００１６】
記録装置１００は、ＬＡＮインターフェース１１３を介し、例えばパーソナルコンピューターなどのホストコンピューターから、オブジェクト作成を含む印刷ジョブを受信する。印刷ジョブは、記録装置１００に対して記録とミシン目形成とを行なわせるジョブであって、上述した記録データ及び配置データを含んでいる。印刷ジョブを受信すると、ＣＰＵ１１０は、印刷ジョブから記録データと配置データとを分離して、ＲＡＭ１１２に格納する。配置データはオブジェクトの配置すなわち位置と形状とを含んでいるから、配置データに基づいてオブジェクトの外周に沿ってミシン目を形成することはできる。しかしながら配置データには接続ミシン目についての情報は含まれていないので、記録装置１００は、配置データに基づいて自動的かつ独自に接続ミシン目の配置を決定する必要がある。図２は、オブジェクトやミシン目の形成処理も含めた接続ミシン目の配置を決定する処理を示している。
【００１７】
図２に示す接続ミシン目の配置の決定の処理では、まずＳ２００において、ＣＰＵ１１０は、各オブジェクトのミシン目に対する接続ミシン目を作成することが許可されているかどうかを判定する。接続ミシン目の作成を許可するかどうかは、ユーザーによって入力・表示部１１５を介してこの記録装置１００に予め入力されている。接続ミシン目の作成が許可されていない場合には、ＣＰＵ１１０は、Ｓ２０８において、ＲＡＭ１１２に格納されている記録データと配置データとに基づいて、記録部１１６を介して記録ヘッド１０３及びカッター駆動部１０６を制御する。その結果、用紙に対して印刷とミシン目の形成とが行なわれる。記録データに基づく印刷は、通常のインクジェット記録装置における印刷と同様に制御され、配置データに基づくミシン目形成は、通常のカッティングプロッタによるミシン目形成と同様に行なわれる。
【００１８】
Ｓ２００において接続ミシン目の作成が許可されていると判断した場合、ＣＰＵ１１０は、ＲＡＭ１１２に格納されている配置データに基づいて、Ｓ２０１において、各オブジェクトのミシン目の中で用紙端から最短距離となる位置となるものを判定する。Ｓ２０２において、最短距離となる位置を含むミシン目に対応するオブジェクトが、用紙端から接続ミシン目により接続するオブジェクトとして選択されて確定する。記録媒体である用紙は一般に長方形であって長方形の４辺が用紙端ということになるが、Ｓ２０１において判定された位置に関してその位置から最短距離にある辺が、接続ミシン目の始点として用いられる辺（すなわち用紙端）として使用される。Ｓ２０３においてＣＰＵ１１０は、接続ミシン目の配置を確定するために、Ｓ２０２で確定したオブジェクトのミシン目またはその接線と接続ミシン目とがなす角が鈍角であってかつその角が最大となるオブジェクトのミシン目上の位置を判定する。この処理を最大鈍角位置の判定の処理と呼ぶ。鈍角は９０°を超える角のことであるが、本明細書では、一直線をなす場合、すなわち角度が１８０°（平角）である場合も鈍角に含まれるものとする。接続ミシン目を配置する場合、上記の最短距離の位置からオブジェクトのミシン目をそのまま直線で延長して用紙端に至るミシン目を接続ミシン目とすることが理想的である。このとき、オブジェクトのミシン目と接続ミシン目とがなす角度は１８０°である。しかしながらこのような理想的な接続ミシン目を形成できない場合もある。その場合は、可能な限りオブジェクトのミシン目と接続ミシン目とがなす角が大きくなるように、最大鈍角位置を決定する。この処理は、オブジェクトのミシン目と接続ミシン目を２辺とする三角形に対し、余弦定理を用いて２辺のなす角度の最大値を求めることによって行なわれる。オブジェクトのミシン目と接続ミシン目がなす角を１８０°とすることができる場合は、オブジェクトのミシン目と接続ミシン目とが接続する位置が最大鈍角位置となる。これにより、Ｓ２０４において、用紙端から最大鈍角位置を結ぶものとして、用紙端とＳ２０２で確定したオブジェクトのミシン目とをつなぐ接続ミシン目の配置が確定する。
【００１９】
以上の処理により、１つのオブジェクトに対する接続ミシン目の配置が決定したことになる。用紙に形成されるオブジェクトの数が１個であれば、次に、ＣＰＵ１１０はＳ２０８において用紙に対して印刷とミシン目形成とを実行し、その後、処理を終了させればよい。これに対し、用紙に形成されるオブジェクトの数が２以上である場合には、ＣＰＵ１１０は、Ｓ２０４において接続ミシン目の配置が確定したオブジェクトを除く他の全てのオブジェクトに対し、Ｓ２０５〜Ｓ２０７に示す処理を実行する。すなわちＣＰＵ１１０は、Ｓ２０５において、未確定の各オブジェクトのミシン目の中で用紙端または接続ミシン目の配置が確定したオブジェクトから最短距離となる位置となるものを判定する。Ｓ２０５の処理は、Ｓ２０１の処理と同様の手順で行なわれ、これにより、最短距離となる位置を含むミシン目に対応するオブジェクトが関連オブジェクトとして選択されて確定する。関連オブジェクトとは、用紙端または接続ミシン目の配置が既に確定したオブジェクトのミシン目から接続するように、次に接続ミシン目の配置が決定されることとなるオブジェクトのことである。その関連オブジェクトに対する接続ミシン目は、Ｓ２０５において判定された位置からみて最短距離にある用紙端または確定済みのオブジェクトからその関連オブジェクトのミシン目に接続することになる。続いてＣＰＵ１１０は、Ｓ２０６において、関連オブジェクトのミシン目と接続ミシン目とがなす角に関して、Ｓ２０３と同様の最大鈍角位置の判定を行なう。その結果、Ｓ２０７において、用紙端または既に接続ミシン目の配置が確定したオブジェクトからその関連オブジェクトへの接続ミシン目の配置が確定する。Ｓ２０４及びＳ２０７で確定した接続ミシン目の配置に関する情報は、ＲＡＭ１１２に格納されている配置データに追加される。
【００２０】
ＣＰＵ１１０がＳ２０５〜Ｓ２０７の処理を１回繰り返すごとに、それにつながる接続ミシン目が未確定であるオブジェクトが１つ減る。未確定のオブジェクトがなくなったら、ＣＰＵ１１０は、Ｓ２０８において、印刷とミシン目の形成を実行する。上記の過程によって接続ミシン目の配置も配置データに含まれているので、ミシン目の形成するときには、オブジェクトの本来のミシン目のほかに、確定された接続ミシン目も同時に形成されることになる。Ｓ２０８が完了すると、印刷及びミシン目形成を含む接続ミシン目の配置の決定の処理が終了する。
【００２１】
図２に示す処理によって決定されるミシン目の配置について、図３及び図４を用いて説明する。図３は、用紙３００に対する印刷によって２つのオブジェクト３０１，３０２を形成する場合を示している。オブジェクト３０１，３０２は、それぞれミシン目３１１，３１２によって用紙３００の残りの部分から切り離されるようになっている。本実施形態によって用紙３００に対してオブジェクト３０１，３０２の印刷とミシン目３１１，３１２の形成とを行なう場合を考える。接続ミシン目の形成が許可されているとして、Ｓ２０１において、２つのオブジェクト３０１，３０２のミシン目３１１，３１２と用紙端との最短距離となる位置が判定される。この例では、最短距離の位置はオブジェクト３０１のミシン目３１１にあるから、用紙端（この場合、図において用紙３００の上辺）から接続ミシン目がつなげられる１つのオブジェクトは、オブジェクト３０１であると確定する。次にＳ２０３において、オブジェクト３０１のミシン目３１１と接続ミシン目がなす最大鈍角位置が判定される。その結果、Ｓ２０４において、用紙端からオブジェクト３０１のミシン目３１１につなげる接続ミシン目は、用紙３００の上方の辺とオブジェクト３０１の上端の頂点３２１と結ぶ直線に沿う接続ミシン目４０１であると確定する。
【００２２】
オブジェクト３０１のミシン目３１１につながる接続ミシン目４０１が確定すると、次に、接続ミシン目が未確定である各オブジェクトに関し、Ｓ２０５〜Ｓ２０７の処理が繰り返される。Ｓ２０５では、用紙端または接続ミシン目が確定した他のオブジェクトとの最短距離となる位置のものが判定される。ここでは接続ミシン目が未確定であるオブジェクトは１つだけであり、それはオブジェクト３０２であるので、用紙端または確定したオブジェクトとの最短距離となる位置のオブジェクトすなわち関連オブジェクトとして、オブジェクト３０２が判定される。オブジェクト３０２から最短距離であるのは用紙端ではなくオブジェクト３０１であるので、オブジェクト３０１のミシン目３１１からオブジェクト３０２のミシン目３１２につながるものがオブジェクト３０２に対する接続ミシン目の候補として確定する。次にＳ２０６において、接続ミシン目をつなげるオブジェクト３０２のミシン目３１２と接続ミシン目がなす最大鈍角位置が判定される。その結果、オブジェクト３０１の下端の頂点３２２から延びてオブジェクト３０２の左側でオブジェクト３０２に接する直線が、オブジェクト３０２に対する接続ミシン目４０２であると確定する。
【００２３】
以上により、用紙３００に形成されるオブジェクト３０１，３０２のミシン目３１１，３１２に対する接続ミシン目４０１，４０２の配置が確定する。続いてＳ２０８において、用紙３００に対するオブジェクト３０１，３０２の印刷と、ミシン目３１１，３１２及び接続ミシン目４０１，４０２の形成を実行する。本実施形態では、オブジェクト３０１，３０２を用紙３００から簡単に切り離すことができるようにする接続ミシン目４０１，４０２が、オブジェクト３０１，３０２の外周のミシン目３１１，３１２につながるように自動的に形成されることになる。このようにオブジェクトが形成され接続ミシン目も含めてミシン目が形成された用紙３００からは、接続ミシン目４０１に沿って用紙３００を引き裂くことによって、オブジェクト３０１をそのミシン目３１１に沿って容易に用紙３００から切り離せる。そして、オブジェクト３０１の切り離し後、接続ミシン目４０２に沿って用紙３００を引き裂くことによって、オブジェクト３０２をそのミシン目３１２に容易に用紙３００から切り離せる。
【００２４】
用紙に形成されたミシン目によって手作業により用紙からオブジェクトを切り離す場合、オブジェクトの外周に形成される頂点が尖っているほど、あるいはオブジェクトの外周の曲率半径が小さいほど、切り離し作業の難度が上昇し、作業性が低下する。そこで、用紙からの切り離しが難しいと考えられるオブジェクトに対してのみ接続ミシン目を形成することが考えれる。図５は、本発明の別の実施形態の記録装置における、オブジェクトやミシン目の形成処理も含めた接続ミシン目の配置を決定する処理を示している。
【００２５】
図５に示す処理では、まず、Ｓ５００において、図２に示した処理でのＳ２００と同様に、各オブジェクトのミシン目に対する接続ミシン目を作成することが許可されているかどうかを判定する。ここで許可されていない場合には、ＣＰＵ１１０は、Ｓ５０４において、ＲＡＭ１１２内の記録データと配置データとに基づいて、記録部１１６を介して記録ヘッド１０３及びカッター駆動部１０６を制御し、用紙に対して印刷とミシン目の形成とを行なう。Ｓ５０４での印刷とミシン目の形成の処理は、図２に示した処理でのＳ２０８と同様に行なわれる。接続ミシン目の作成が許可されている場合、ＣＰＵ１１０は、Ｓ５０１において、ＲＡＭ１１２に格納された配置データに基づいて、用紙に形成されるべき各オブジェクトについて、そのオブジェクトのミシン目形状が所定の条件を満たしているかを判定する。さらにＣＰＵは、所定の条件を満たしているオブジェクトについて、オブジェクトのミシン目のどの位置がその所定の条件にあてはまるかを判定する。ここでは所定の条件として、「ミシン目形状に頂点（すなわち角部）があり、その頂点での角度（すなわち頂角）が９０°未満である、すなわち頂角が鋭角である」を採用し、条件に対応する位置はその鋭角である頂点であるものとする。ＣＰＵ１１０は、条件に当てはまる頂角を全て抽出し、Ｓ５０２において、頂点の位置でのオブジェクトのミシン目と接続ミシン目との最大鈍角位置を判定し、Ｓ５０３において、判定結果に基づいて接続ミシン目の配置を確定する。ここでは、抽出された頂点に関し、用紙端からその頂点の位置でのミシン目に対して接続ミシン目がつながるように、接続ミシン目が配置されるようにする。Ｓ５０１で抽出されたすべての頂点に関し、用紙端からその頂点に至る接続ミシン目が確定したら、ＣＰＵ１１０は、Ｓ５０４において、オブジェクトごとの及びミシン目形成と、抽出された頂点に対する接続ミシン目の形成との処理を実行する。本実施形態において、Ｓ５０１において頂点が抽出されなかったオブジェクトは、ミシン目に鋭角部がなくて手作業での切り離しが容易なオブジェクトであるので、そのオブジェクトのミシン目につながる接続ミシン目は形成されない。
【００２６】
図６は、一例として、上述した図３に示すように２つのオブジェクト３０１，３０２が配置されるべき用紙３００を対象として図５に示す処理を実行したときのミシン面の形成結果を示している。図３に示すオブジェクト３０１は、長方形の１対の長辺の各々に対し、外側に突出するように小三角形を付加した形状となっている。図におけるオブジェクト３０１の上端の頂点３２１及び下端の頂点３２２は、小三角形の鋭角である頂点である。これに対しオブジェクト３０２は円形であり、鋭角となる頂点を有しない。
【００２７】
図３に示すオブジェクトの配置に対してＳ５０１の処理を実行すると、オブジェクト３０１から、上端の頂点３２１及び下端の頂点３２２が、９０°よりも小さな鋭角である頂点として抽出される。オブジェクト３０２からは、頂点は抽出されない。その結果、オブジェクト３０１の２つの頂点３２１，３２２に対し、Ｓ５０２及びＳ５０３の処理が実行されることになる。まず、上端の頂点３２１に対し、Ｓ５０２において、ＣＰＵ１１０は、その頂点３２１を構成するミシン目３１１と接続ミシン目がなす最大鈍角位置を判定する。この判定結果から、頂点３２１に対応する接続ミシン目は、用紙３００の上辺から頂点３２１につながる直線である接続ミシン目４０１であると確定する。引き続き、Ｓ５０１において抽出された２つの頂点のうちの残りの頂点３２２について、頂点３２２を構成するミシン目と接続ミシン目がなす最大鈍角位置が判定される。同様にして、頂点３２２に対応する接続ミシン目は、用紙３００の下辺から頂点３２２につながる直線である接続ミシン目４０２であると確定する。頂点３２２についてオブジェクトのミシン目３１１を用紙端まで延長するように接続ミシン目を設けるとすると、接続ミシン目としては、頂点３２２から図示左下方向に延びるものと図示右下方向に延びるものの２通りが考えられる。しかしながら、図示右下方向に延びるものはオブジェクト３０２と干渉するので、頂点３２２から図示右下方向に向けて接続ミシン目を設定することはできない。そのため、頂点３２２から図示左下方向に用紙３００の下辺まで延びる接続ミシン目４０２が配置される。ステップＳ５０１で抽出されたオブジェクト３０１の２個の頂点について接続ミシン目が確定したら、次に、Ｓ５０４において、オブジェクト３０１，３０２の印刷及びそのミシン目３１１，３１２の形成と、接続ミシン目４０１，４０２の形成とを行なう。
【００２８】
図５及び図６に示した実施形態によれば、用紙上の任意位置に形成されたオブジェクトであって手作業ではミシン目に沿った切り離しが容易ではないオブジェクトに対し、用紙端からオブジェクトのミシン目に至る接続ミシン目を自動的に形成することができる。これにより、記録媒体である用紙からのオブジェクトの切り離しを容易に行なえるようになる。
【符号の説明】
【００２９】
１００    記録装置
１０３    記録ヘッド
１０５    カッター
１０７    制御部
【図１】
2019202437.tif 000003
【図２】
2019202437.tif 000004
【図３】
2019202437.tif 000005
【図４】
2019202437.tif 000006
【図５】
2019202437.tif 000007
【図６】
2019202437.tif 000008